(57)【要約】      （修正有）【課題】所望深度の地盤試料を確実に採取することが出来ると共に、地盤調査にあたって十分な採取量を確保することができる地盤試料採取装置を提供する。【解決手段】軸方向に連結される複数の中空状又は中実状のロッドと、先端部に設けられた地盤試料Ｈ１を採取する採取ロッド１とを有するスウェーデン式サウンディング試験機を用いた地盤試料採取装置であり、採取ロッド１は、地盤試料Ｈ１を収容する収容部１３と、上部に設けられている窓開口部１０と、一側縁部に、窓開口部１０を閉塞する位置と開放する位置とに亘って移動可能に設けられた蓋体１１とを有し、窓開口部１０を閉塞する位置に蓋体１１を維持する蓋ストッパーが配設され、蓋体１１の維持位置を解除する方向に蓋ストッパーを移動できる解除部材が配設され、中空状のロッド２から外部へ出没可能か、又は、採取ロッド１内から出没させ、且つ、中実状のロッドの外周に沿うように配設される。【選択図】図５
2011226157.tif 000002
【特許請求の範囲】
【請求項１】
軸方向に連結される複数の中空状又は中実状のロッドと、該ロッドの先端部に設けられた地盤試料を採取する採取ロッドとを有してなるスウェーデン式サウンディング試験機を用いた地盤試料採取装置であって、
前記採取ロッドは、前記地盤試料を収容する収容部と、該収容部の上部に設けられている窓開口部と、該窓開口部の一側縁部に、該窓開口部を閉塞する位置と開放する位置とに亘って移動可能に設けられた蓋体とを有し、
前記採取ロッド内には、前記窓開口部を閉塞する位置に前記蓋体を維持する蓋ストッパーが配設されると共に、この蓋体の維持位置を解除する方向に前記蓋ストッパーを移動できる解除部材が配設され、
前記解除部材は、前記中空状のロッドから外部へ出没可能なように配設されるか、又は、前記採取ロッド内から外部へ出没させ、且つ、前記中実状のロッドの外周に沿うように配設されてなることを特徴とする地盤試料採取装置。
【請求項２】
前記蓋ストッパーは、前記解除部材によって前記採取ロッド内を上下方向に移動可能であって、
前記蓋体内周面には、前記蓋ストッパーを収納する収納部材が設けられ、
前記蓋ストッパーを前記解除部材によって下方向に移動させると、前記収納部材に前記蓋ストッパーが収納されて、前記蓋体が前記窓開口部を閉塞する位置に維持され、
前記蓋ストッパーを前記解除部材によって上方向に移動させると、該蓋ストッパーが前記収納部材による収納から解放されて、前記蓋体の維持位置が解除されてなることを特徴とする請求項１に記載の地盤試料採取装置。
【請求項３】
前記採取ロッド内には、前記解除部材によって上下方向に移動可能な支持部材が設けられ、該支持部材の下部には前記蓋ストッパーが固着されてなり、
前記採取ロッドの基端部には、前記支持部材の上方向の移動を規制する規制部材が設けられてなることを特徴とする請求項２に記載の地盤試料採取装置。
【請求項４】
前記採取ロッドの内周面には、前記支持部材の自転を防止する自転防止部材が突設されてなることを特徴とする請求項３に記載の地盤試料採取装置。
【請求項５】
前記蓋ストッパーは、該先端部が前記収容部内に挿入可能なく形状に形成され、且つ、弾性部材で形成されてなることを特徴とする請求項２〜４のいずれか１項に記載の地盤試料採取装置。
【請求項６】
前記採取ロッドの先端部に前記地盤を掘進可能な突起及び／又は掘進スクリュー部材が設けられてなることを特徴とする請求項１〜５のいずれか１項に記載の地盤試料採取装置。
【発明の詳細な説明】
【技術分野】
【０００１】
本発明は、地盤における所望深度の地盤試料を採取するための地盤試料採取装置に関し、より詳しくは、スウェーデン式サウンディング試験を行う際に形成される調査孔を利用する地盤試料採取装置に関する。
【背景技術】
【０００２】
近年、戸建住宅等の建設予定地の地盤を調査する方法として、ＪＩＳ規格に制定されたスウェーデン式サウンディング試験が広く利用されている。このスウェーデン式サウンディング試験は、図７に示すようなスウェーデン式サウンディング試験機を用いて行われる。すなわち、このスウェーデン式サウンディング試験機は、先端部に掘進スクリュー部材（通称：スクリューポイント）９１が装着された鉄製またはステンレス鋼製の中実状のロッド９を地盤Ｇ中に垂直に突き立て、このロッド９の上部にクランプ９２及びハンドル９３を取り付ける。そして、クランプ９２上に複数枚の円盤状の錘９４（１０ｋｇが２枚と２５ｋｇが３枚で計９５ｋｇ、載荷用クランプの重さ５ｋｇとの合計で１００ｋｇ）を順次載せる。そして、このようなスウェーデン式サウンディング試験機のロッド９の沈み込みを観察して記録する。一方、全部の錘９４を載せた段階でロッド９の沈み込みがない場合、ハンドル９３による回転で掘進させ、ロッド９表面の２５ｃｍ刻みの目盛り９ａにより、当該ロッド９が２５ｃｍ沈み込むのに要した回転数を記録する。このように回転数を記録することで地盤の評価指標であるＮ値を算出し、その算出したＮ値によって地盤の強度を調査するというのがスウェーデン式サウンディング試験である。なお、ロッド９は最長１ｍであるため、継ぎ足しながら所定深度（通常は地下１０ｍ）まで掘進させる。これにより、地盤Ｇ中に調査孔Ｈが形成される。また、掘進スクリュー部材９１の最大外径は、上記ロッド９の外径よりも径大に形成されている。そして、図中の９５は掘進位置の地表に載置した底板である。
【０００３】
ところで、このようなスウェーデン式サウンディング試験の地盤調査は、Ｎ値１０程度の地盤層まで調査可能である。そこで、その調査精度を高めるため、当該調査地盤層の所望深度の地盤試料を採取することは土質を判断する上で極めて重要であり、なお且つ、調査の簡便性を高めるため、スウェーデン式サウンディング試験の結果形成された調査孔Ｈを利用して所望深度の地盤試料を採集することは極めて有用な方法である。このような有用な方法を用いた装置が特許文献１に提案されている。
【０００４】
特許文献１に記載の装置は、相対回転可能な内管と外管による採取部と、上記内管外周に開口された内採取口と、上記外管外周に開口された外採取口と、スウェーデン式サウンディング試験機のロッドと、上記採取部及び当該ロッドを連結する連結部とで構成され、内採取口は、外採取口に比べて小面積に開けられると共に、長手方向一側に外方へ採取刃が突出されてなり、内管内には採取室が設けられている。
【０００５】
そして、このように構成された装置を用いて所望深度の地盤試料を採取するには、内管を回転させて内採取口を外管によって閉じ、採取室を閉室状態としてから調査孔へ挿入する。そして、この挿入により、採取部が所望深度に到達すると、外管を回転させ内採取口を開口状態とする。その状態で、さらに同方向に外管を回転させると、その回転によって採取刃が土に押圧されて内管が回転し、それに伴い周囲の試料が採取刃にて内管内の採取室へ取り込まれ、所望深度の地盤試料が採取可能となる。
【０００６】
しかして、上記のような特許文献１に記載の装置を用いれば、スウェーデン式サウンディング試験の結果形成された調査孔を利用して所望深度の地盤試料を採集することが可能となる。
【先行技術文献】
【特許文献】
【０００７】
【特許文献１】特開２００４−３３２３９２号公報
【発明の概要】
【発明が解決しようとする課題】
【０００８】
しかしながら、上記特許文献１に記載の装置には次のような問題が生じていた。すなわち、採取部が所望深度に到達してから、外管を回転させ内採取口を開口状態としているため、所望深度以外の位置で外管を回転させてしまうと、内採取口が所望深度以外の位置で開口状態となってしまうことがあり、所望深度以外の地盤試料が採取されてしまうという問題があった。
【０００９】
また、所望深度以外の位置で内採取口が開口状態となったとしても、内採取口が開口状態となっているかどうかを知るすべがないという問題があった。
【００１０】
さらには、内採取口の長手方向一側には、外方へ採取刃が設けられているため、内管内の採取室を径大とすると、上記調査孔に採取刃を挿入することができず、地盤試料自体を採取できないという問題があった。それゆえ、内管内の採取室の径が制限されることとなり、地盤調査にあたって十分な地盤試料を採取することができないという問題があった。
【００１１】
そこで本発明は、上記問題点に鑑み、所望深度の地盤試料を確実に採取することが出来ると共に、地盤調査にあたって十分な採取量を確保することができる地盤試料採取装置を提供することを目的としている。
【課題を解決するための手段】
【００１２】
上記課題を解決するための手段を、後述する実施形態の参照符号を付して説明すると、請求項１の発明にかかる地盤試料採取装置は、軸方向に連結される複数の中空状又は中実状のロッド２，９と、該ロッド２，９の先端部に設けられた地盤試料Ｈ１を採取する採取ロッド１とを有してなるスウェーデン式サウンディング試験機を用いた地盤試料採取装置であって、前記採取ロッド１は、前記地盤試料Ｈ１を収容する収容部１３と、該収容部１３の上部に設けられている窓開口部１０と、該窓開口部１０の一側縁部に、該窓開口部１０を閉塞する位置と開放する位置とに亘って移動可能に設けられた蓋体１１とを有し、前記採取ロッド１内には、前記窓開口部１０を閉塞する位置に前記蓋体１１を維持する蓋ストッパー６が配設されると共に、この蓋体１１の維持位置を解除する方向に前記蓋ストッパー６を移動できる解除部材４が配設され、前記解除部材４は、前記中空状のロッド２から外部へ出没可能なように配設されるか、又は、前記採取ロッド１内から外部へ出没させ、且つ、前記中実状のロッド９の外周に沿うように配設されてなることを特徴としている。
【００１３】
請求項２の発明は、上記請求項１に記載の地盤試料採取装置において、前記蓋ストッパー６は、前記解除部材４によって前記採取ロッド１内を上下方向に移動可能であって、前記蓋体１１内周面には、前記蓋ストッパー６を収納する収納部材１２が設けられ、前記蓋ストッパー６を前記解除部材４によって下方向に移動させると、前記収納部材１２に前記蓋ストッパー６が収納されて、前記蓋体１１が前記窓開口部１０を閉塞する位置に維持され、前記蓋ストッパー６を前記解除部材４によって上方向に移動させると、該蓋ストッパー６が前記収納部材１２による収納から解放されて、前記蓋体１１の維持位置が解除されてなることを特徴としている。
【００１４】
請求項３の発明は、上記請求項２に記載の地盤試料採取装置において、前記採取ロッド１内には、前記解除部材４によって上下方向に移動可能な支持部材５が設けられ、該支持部材５の下部には前記蓋ストッパー６が固着されてなり、前記採取ロッド１の基端部には、前記支持部材５の上方向の移動を規制する規制部材３，７が設けられてなることを特徴としている。
【００１５】
請求項４の発明は、上記請求項３に記載の地盤試料採取装置において、前記採取ロッド１の内周面には、前記支持部材５の自転を防止する自転防止部材１６が突設されてなることを特徴としている。
【００１６】
請求項５の発明は、上記請求項２〜４のいずれか１項に記載の地盤試料採取装置において、前記蓋ストッパー６は、該先端部が前記収容部１３内に挿入可能なく形状に形成され、且つ、弾性部材で形成されてなることを特徴としている。
【００１７】
請求項６の発明は、上記請求項１〜５のいずれか１項に記載の地盤試料採取装置において、前記採取ロッド１の先端部に前記地盤を掘進可能な突起及び／又は掘進スクリュー部材９１が設けられてなることを特徴としている。
【発明の効果】
【００１８】
次に、本発明の効果について、図面の参照符号を付して説明する。まず、請求項１の発明にかかる地盤試料採取装置によれば、採取ロッド１に窓開口部１０が設けられ、その窓開口部１０の一側縁部に蓋体１１が設けられている。そして、その蓋体１１は、上記窓開口部１０を閉塞する位置と開放する位置とに亘って移動可能に設けられている。さらには、採取ロッド１内に上記窓開口部１０を閉塞する位置に上記蓋体１１を維持する蓋ストッパー６が配設され、採取ロッド１内には、この蓋体１１の維持位置を解除する方向に上記蓋ストッパー６を移動できる解除部材４が配設され、さらに、その解除部材４は、上記中空状のロッド２から外部へ出没可能なように配設されるか、又は、上記採取ロッド１内から外部へ出没させ、且つ、上記中実状のロッド９の外周に沿うように配設されている。
【００１９】
しかして、採取ロッド１の窓開口部１０を閉塞する位置に蓋ストッパー６によって蓋体１１が維持されているから、採取ロッド１を回転させながら、調査孔Ｈに貫入させたとしても上記蓋体１１の位置が維持される。そのため、所望深度以外の位置で、採取ロッド１の窓開口部１０が開放されることがない。
【００２０】
また、この蓋体１１の維持位置を解除する方向に上記蓋ストッパー６を移動できる解除部材４が中空状のロッド２から外部へ出没可能なように配設されるか、又は、上記採取ロッド１内から外部へ出没させ、且つ、上記中実状のロッド９の外周に沿うように配設されている。そのため、採取ロッド１が所望深度に到達した後、地表から解除部材４を操作することで上記蓋ストッパー６を移動させて蓋体１１の維持位置を解除させることができる。しかして、本発明によれば、作業者は所望深度位置で、採取ロッド１の窓開口部１０が開放されたことを知ることができる。
【００２１】
そして、所望深度位置で、採取ロッド１の窓開口部１０を開放させた後、窓開口部１０をさらに開放する方向に採取ロッド１を回転させる。これにより、所望深度の地盤試料Ｈ１が蓋体１１の内周面部を介して窓開口部１０より採取ロッド１内に取り込まれる。そして、上記回転を行った後、窓開口部１０が蓋体１１によって閉塞する方向に採取ロッド１を回転させれば、蓋体１１の外周面部が土抵抗を受けて、蓋体１１が窓開口部１０を閉塞する位置に移動する。その状態で、採取ロッド１を地表に引き上げれば、所望深度の地盤試料Ｈ１を確実に採取することができる。
【００２２】
また、上記窓開口部１０の下部には、上記地盤試料Ｈ１を収容する収容部１３が設けられている。そのため、地盤試料Ｈ１を十分に採取することができる。しかして、本発明によれば、地盤調査にあたって十分な採取量を確保することができる。
【００２３】
一方、請求項２の発明によれば、上記蓋ストッパー６は、上記解除部材４によって採取ロッド１内を上下方向に移動可能であり、上記蓋体１１内周面にはその蓋ストッパー６を収納する収納部材１２が設けられている。この収納部材１２に蓋ストッパー６を収納するには、上記解除部材４によって蓋ストッパー６を下方向に移動させるだけでよく、この収納部材１２に蓋ストッパー６が収納されると、上記蓋体１１が上記窓開口部１０を閉塞する位置に維持される。そして、上記蓋ストッパー６を上記解除部材４によって上方向に移動させるだけで、上記蓋ストッパー６が上記収納部材１２による収納から解放されて上記蓋体１１の維持位置が解除される、すなわち、窓開口部１０が開放される。
【００２４】
しかして、請求項２の発明によれば、非常に簡易な操作で、窓開口部１０を閉塞したり開放したりすることができる。
【００２５】
また、請求項３の発明によれば、採取ロッド１内には解除部材４によって上下方向に移動可能な支持部材５が設けられ、その支持部材５の下部には上記蓋ストッパー６が固着されている。そして、採取ロッド１の基端部には上記支持部材５の上方向の移動を規制する規制部材３，７が設けられている。そのため、解除部材４によって支持部材５を上方向に移動させると蓋ストッパー６も上方向に移動され、請求項２の発明にて詳述したように窓開口部１０が開放される。その際、支持部材５の上方向の移動が規制部材３，７によって規制されるから、蓋体１１が窓開口部１０を開放する位置に移動したことを確実に知ることができる。
【００２６】
そして、請求項４の発明によれば、前記採取ロッド１の内周面に、前記支持部材５の自転を防止する自転防止部材１６が突設されている。そのため、採取ロッド１が回転した際に、その回転作用によって採取ロッド１内を支持部材５が自転するのを防止することができる。それがために、支持部材５が自転することによって、収納部材１２内に収納されている蓋ストッパー６が解放されて、所望深度以外の位置で上記蓋体１１の維持位置が解除されてしまうことを確実に防止することができる。
【００２７】
さらに、請求項５の発明によれば、蓋ストッパー６が、該先端部が前記収容部１３内に挿入可能なく形状に形成されているから、収納部材１２内に蓋ストッパー６の先端側が斜め向きに収納される。そのため、収納部材１２内に蓋ストッパー６を確実に収納させることができる。さらには、当該蓋ストッパー６の先端部が収容部１３内に挿入されるから、蓋体１１を窓開口部１０が閉塞する位置に確実に維持させることができる。また、蓋ストッパー６の先端部を蓋体１１の内周面と対向する位置に配設させれば、蓋ストッパー６は弾性部材で形成されているから、上記解除部材４によって蓋ストッパー６を上方向に移動させれば、当該蓋ストッパー６が弾発力によって跳ね上がり、上記蓋体１１の内周面を強く押圧する。これにより、上記蓋体１１の維持位置が解除されやすくなる。
【００２８】
一方、請求項６の発明によれば、採取ロッド１の先端部に前記地盤を掘進可能な突起及び／又は掘進スクリュー部材９１が設けられているから、採取ロッド１を調査孔Ｈに貫入させる前に、当該調査孔Ｈが、例えばＮ値１０以下の緩い砂層の地盤で崩れてしまったとしても、採取ロッド１を所望深度まで貫入させることができる。
【図面の簡単な説明】
【００２９】
【図１】本発明の第１実施形態に係る地盤試料採取装置の要部を示す分解正面図である。
【図２】本発明の第１実施形態に係る採取ロッド及び、その先端部に連結されている規制部材及びその基端部に連結されている掘進スクリュー部材を示す分解正面図である。
【図３】図１に示す採取ロッドの縦断面図である。
【図４】本発明の第１実施形態に係る窓開口部を閉塞又は開放する方法を示し、（ａ）は採取ロッドの先端部に規制部材を連結した状態、（ｂ）は収納部材内に蓋ストッパーを収納し窓開口部を閉塞した状態、（ｃ）は採取ロッドの先端部に掘進スクリュー部材を連結し、規制部材の基端部に中空状のロッドを連結した状態、（ｄ）は窓開口部を開放した状態、のそれぞれ縦断面図である。
【図５】（ａ）〜（ｄ）は本発明の第１実施形態に係る地盤試料採取装置を用いて所望深度の地盤試料を採取する方法を示す説明図である。
【図６】本発明の第２実施形態に係る地盤試料採取装置の要部縦断面図である。
【図７】スウェーデン式サウンディング試験に用いる中実状のロッドの掘進貫入状態を示す縦断面図である。
【発明を実施するための形態】
【００３０】
＜第１実施形態＞
以下、本発明に係る地盤試料採取装置の第１実施形態について、図１〜図４を参照して具体的に説明する。なお、既述のスウェーデン式サウンディング試験機に用いる部材と同一の部材を使用する場合には、同一の符号を付すこととする。
【００３１】
本実施形態に係る地盤試料採取装置は、図１に示すように、採取ロッド１と、軸方向に連結される鉄製またはステンレス鋼製からなる複数の中空状のロッド２（以下、中空ロッド２）とを有し、その中空ロッド２の先端部には採取ロッド１が着脱自在に設けられている。そして、中空ロッド２の上部にはロッド９と同様に、クランプ９２及びハンドル９３が取り付けられ、錘９４が載せられている（図７参照）。なお、中空ロッド２の表面には、ロッド９と同様、２５ｃｍ刻みの目盛り２ａが設けられている。また、複数の中空ロッド２の軸方向への連結は、図示はしないが、ねじ止め機構等によって連結されている。
【００３２】
一方、採取ロッド１は、鉄製またはステンレス鋼製からなり、図３に示すように中空状に形成されている。そして、採取ロッド１の外径は、上記中空ロッド２よりも径大に形成されると共に、上記掘進スクリュー部材９１の最大外径とほぼ同径に形成されている。このように形成される採取ロッド１の周壁面には縦長矩形状の窓開口部１０が設けられ（図４（ｄ）参照）、この窓開口部１０の一側縁部には、図１〜図３に示すように蓋体１１が設けられている。この蓋体１１は、上記窓開口部１０を閉塞する位置と開放する位置とに亘って移動できるように設けられている。また、蓋体１１の先端側内周面には溶接等によって矩形状の収納部材１２が固着されており、この収納部材１２内に後述する蓋ストッパー６が収納できるようになっている。一方、採取ロッド１内の蓋体１１の下部には、図３に示すように、収容部１３が設けられている。この収容部１３には後述する地盤試料Ｈ１が収容されるようになっている。
【００３３】
そして、採取ロッド１の基端部には、図２及び図３に示すように雄ねじ部１４が設けられ、採取ロッド１の先端部には、図３に示すように雌ねじ部１５が刻設されている。この雄ねじ部１４には、規制部材３の先端側内周面に刻設されている雌ねじ部３０（図３参照）が螺合される。これにより、採取ロッド１の基端部に規制部材３が連結される。そして、雌ねじ部１５には、掘進スクリュー部材９１の基端部に設けられている雄ねじ部９１ａ（図２及び図３参照）が螺合される。これにより、採取ロッド１の先端部に掘進スクリュー部材９１が連結される。このように、採取ロッド１の先端部に掘進スクリュー部材９１を設けることにより、採取ロッド１を既述の調査孔Ｈに貫入させる前に、当該調査孔Ｈが、例えばＮ値１０以下の緩い砂層の地盤で崩れてしまったとしても、採取ロッド１を所望深度まで貫入させることができる。なお、本発明の実施形態では、採取ロッド１の先端部に掘進スクリュー部材９１を設けたが、調査孔Ｈを掘削可能な突起を設けても良い。また、採取ロッド１の先端部に、掘進スクリュー部材と上記突起を両方設けても良い。
【００３４】
一方、上記規制部材３の基端部には、図２及び図３に示すように雄ねじ部３１が設けられている。そして、図１に示すように、この雄ねじ部３１に中空ロッド２の先端部内周面に刻設されている雌ねじ部２ｂが螺合される。これにより、規制部材３の基端部に中空ロッド２が連結される（図４（ｃ）及び（ｄ）参照）。
【００３５】
また、規制部材３の基端部には基端孔３２が穿設され、その基端孔３２には解除部材４（図示ではワイヤ）が挿通されている。そして、図２及び図３に示すように、その基端孔３２の下部側には、楕円状の厚板に形成されている支持部材５が設けられている。この支持部材５には、上下方向に貫通されている挿通孔５０が設けられており、その挿通孔５０に上記解除部材４（図示ではワイヤ）が上下方向に移動可能なように挿通されている。
【００３６】
一方、上記解除部材４（図示ではワイヤ）には、所要間隔を置いて、上下当接片４０，４１が溶接等によって固着されている。そして、この上下当接片４０，４１は、支持部材５の挿通孔５０よりも径大に形成されている。そのため、解除部材４（図示ではワイヤ）が下方向に移動すると、上当接片４０が支持部材５の上面部に当接し、その当接によって支持部材５が下方向に移動することとなる。そして、解除部材４（図示ではワイヤ）が上方向に移動すると、下当接片４１が支持部材５の下面部に当接し、その当接によって支持部材５が上方向に移動することとなる。なお、上記のように上下方向に移動可能な支持部材５の下面部には、図２及び図３に示すように、く形状の板ばね等の弾性部材で形成されている蓋ストッパー６がビス等によって固着されている。
【００３７】
ところで、上述のような支持部材５を採取ロッド１内に配設させるには、まず採取ロッド１内の基端側内周面に突設している偏平状の自転防止部材１６に支持部材５の垂直面部５ａを当接させるように挿入する（図３参照）。そして、その挿入に伴って、支持部材５の下面部に設けられている蓋ストッパー６をその先端部が収容部１３内に達するように、上記収納部材１２内に収納させれば、支持部材５を採取ロッド１内に配設させることができる。
【００３８】
このように支持部材５を採取ロッド１内に配設させれば、図１に示すように、窓開口部１０を閉塞する位置に蓋体１１を確実に維持させることができる。すなわち、具体的には、蓋ストッパー６がく形状に形成されているから、その先端側が収納部材１２内に斜め向きに収納される（図３参照）。これにより、収納部材１２内に蓋ストッパー６を確実に収納させることができる。さらに、当該蓋ストッパー６をその先端部が収容部１３内に達するように上記収納部材１２内に収納させている。しかして、蓋体１１を窓開口部１０が閉塞する位置に確実に維持させることができる。
【００３９】
一方、蓋ストッパー６は、弾性部材で形成されると共に、その蓋ストッパー６の先端部と蓋体１１の内周面とが対向するにように配設されているから、蓋ストッパー６を解除部材４（図示ではワイヤ）によって上方向に移動させれば、蓋ストッパー６の弾発力によって当該蓋ストッパー６が跳ね上がり、上記蓋体１１の内周面を強く押圧する。そのため、上記蓋体１１の維持位置が解除されやすくなる。
【００４０】
そして、採取ロッド１内に支持部材５を挿入する際、支持部材５の垂直面部５ａを採取ロッド１内の基端側内周面に突設している偏平状の自転防止部材１６に当接するように挿入している。そのため、採取ロッド１が回転した際、その回転作用によって支持部材５が採取ロッド１内を自転するのを防止することができる。それがために、支持部材５が自転することによって、収納部材１２内に収納されている蓋ストッパー６が解放されて、所望深度以外の位置で上記蓋体１１の維持位置が解除されてしまうことを確実に防止することができる。なお、上下当接片４０，４１は、上述したように、支持部材５の挿通孔５０よりも径大に形成されているが、さらに、上当接片４０は、基端孔３２の径よりも径小に形成され、下当接片４１は、雌ねじ部１５の内径よりも径小に形成されている。
【００４１】
ここで、蓋ストッパー６を収納部材１２に収納する方法を、図４を用いて具体的に説明する。先ず、図４（ａ）に示すように、採取ロッド１内に支持部材５を挿入し、採取ロッド１の基端部に規制部材３を連結した状態で、解除部材４（図示ではワイヤ）を採取ロッド１の先端部から外方へ露出させ、その露出させた解除部材４（図示ではワイヤ）を、解除部材４の上当接片４０が支持部材５の上面部に当接するまで下方向に移動させる。さらに、図４（ａ）の状態から、上記解除部材４（図示ではワイヤ）を下方向に移動させると、図４（ｂ）に示すように、支持部材５が下方向に移動するため、蓋ストッパー６も下方向に移動する。そのため、収納部材１２内に蓋ストッパー６が収納されて、窓開口部１０を閉塞する位置に蓋体１１を維持させることができる。なお、収納部材１２内に蓋ストッパー６を収納するまでは、人の手等によって、窓開口部１０を閉塞する位置に蓋体１１を維持させておけばよい。
【００４２】
そして上記のように、窓開口部１０を閉塞する位置に蓋体１１を維持させた後、図４（ｃ）に示すように、上記解除部材４（図示ではワイヤ）を、採取ロッド１内に没入させて、採取ロッド１の先端部に掘進スクリュー部材９１を連結させる。また、基端孔３２から露出している解除部材４（図示ではワイヤ）を中空ロッド２内に挿通させて外部へ露出させる。その状態で、規制部材３の基端部に中空ロッド２を連結させて、外部へ露出させた解除部材４（図示ではワイヤ）を解除部材４の下当接片４１が支持部材５の下面部に当接するまで上方向に移動させる。
【００４３】
一方、図４（ｃ）の状態から、窓開口部１０を開放する位置に蓋体１１を移動させるには、図４（ｄ）に示すように、外部へ露出させた解除部材４（図示ではワイヤ）を上方向に移動させればよい。これにより、支持部材５が上方向に移動するため、蓋ストッパー６も上方向に移動し、窓開口部１０を開放する位置に蓋体１１が移動することとなる。その際、図４（ｄ）に示すように、支持部材５が規制部材３に当接し、支持部材５の上方向への移動が規制される。そのため、支持部材５は、当接位置より上方向に移動することができないため、蓋体１１が窓開口部１０を開放する位置に移動したことを確実に知ることができる。なお、本発明の第１実施形態において、蓋ストッパー６は、く形状の板ばねを例示したが、棒状のばね等の弾性部材で形成してもよい。また、蓋ストッパー６はく形状の弾性部材で形成するのが好ましいが、蓋体１１を、窓開口部１０を閉塞する位置に維持できるものであれば、どのような材質及び形状であっても良い。また、収納部材１２としても、蓋体１１の内周面に設けておけばどの位置であっても良い。
【００４４】
次に、上述のような地盤試料採取装置を用いて所望深度の地盤試料を採取する方法を、図５を用いて具体的に説明する。先ず、図５（ａ）に示すように、図７に示すスウェーデン式サウンディング試験機を矢印ａに示す方向（時計回り）に回転させながら地盤Ｇ中に貫入させ、調査孔Ｈを形成する。そして、その調査孔Ｈを形成後、図７に示すスウェーデン式サウンディング試験機を地盤Ｇ中から抜出し、ロッド９を中空ロッド２に取り換え、その取り換えた中空ロッド２の先端部に採取ロッド１を連結し、さらに、その採取ロッド１の先端部に掘進スクリュー部材９１を連結する。すなわち、図４（ｃ）の状態とする。
【００４５】
この図４（ｃ）の状態で、中空ロッド２の上部にクランプ９２及びハンドル９３を取り付けると共に錘９４を載せる。そして、その錘９４による荷重負荷とハンドル９３による回転操作を行い、図５（ｂ）に示すように、上記調査孔Ｈ内に、採取ロッド１を矢印ａに示す方向（時計回り）に回転させながら貫入する。
【００４６】
その貫入によって採取ロッド１が所望深度に到達すると、図４（ｄ）に示す操作を行い、窓開口部１０を開放する。そして、図５（ｃ）に示すように、採取ロッド１を矢印ａに示す方向（窓開口部１０をさらに開放する方向、即ち、時計回り）に回転させる。これにより、所望深度の地盤試料Ｈ１が蓋体１１の内周面部を介して窓開口部１０より収容部１３内に取り込まれる。こうして地盤試料Ｈ１を収容部１３内に取り込んだ後、図５（ｄ）に示すように、採取ロッド１を矢印ｂに示す方向（窓開口部１０を蓋体１１によって閉塞する方向、即ち、反時計回り）に回転させて、窓開口部１０を閉塞し、採取ロッド１を地表に引き上げてゆく。これにより、所望深度の地盤試料Ｈ１を採取することができる。
【００４７】
以上説明した本発明の第１実施形態によれば、採取ロッド１の周壁面に窓開口部１０が設けられ、その窓開口部１０の一側縁部に蓋体１１が設けられている。そして、その蓋体１１は、上記窓開口部１０を閉塞する位置と開放する位置とに亘って移動可能に設けられている。さらには、採取ロッド１内に上記窓開口部１０を閉塞する位置に上記蓋体１１を維持する蓋ストッパー６が配設され、採取ロッド１内及び中空ロッド２内には、この蓋体１１の維持位置を解除する方向（本実施形態では上方向）に上記蓋ストッパー６を移動できる解除部材４が配設され、さらに、その解除部材４は、上記中空ロッド２内から出没可能なように配設されている。
【００４８】
しかして、採取ロッド１の窓開口部１０を閉塞する位置に蓋ストッパー６によって蓋体１１が維持されているから、採取ロッド１を回転させながら調査孔Ｈに貫入させたとしても上記蓋体１１の位置が維持される。そのため、所望深度以外の位置で、採取ロッド１の窓開口部１０が開放されることがない。
【００４９】
また、この蓋体１１の維持位置を解除する方向（本実施形態では上方向）に上記蓋ストッパー６を移動できる解除部材４が中空ロッド２内から出没可能なように配設されている。そのため、採取ロッド１が所望深度に到達した後、地表から解除部材４を操作することで上記蓋ストッパー６を移動させて蓋体１１の維持位置を解除させることができる。しかして、作業者は、所望深度位置で、採取ロッド１の窓開口部１０が開放されたことを知ることができる。
【００５０】
そして、所望深度位置で、採取ロッド１を矢印ａに示す方向（窓開口部１０をさらに開放する方向、即ち、時計回り）に回転させることで、所望深度の地盤試料Ｈ１が蓋体１１の内周面部を介して窓開口部１０より採取ロッド１内に取り込まれる。その後、採取ロッド１を矢印ｂに示す方向（窓開口部１０が蓋体１１によって閉塞する方向、即ち、反時計回り）に回転させれば、蓋体１１の外周面部が土抵抗を受けて、蓋体１１が窓開口部１０を閉塞する位置に移動する。その状態で、採取ロッド１を地表に引き上げれば、所望深度の地盤試料Ｈ１を確実に採取することができる。
【００５１】
また、上記窓開口部１０の下部には、上記地盤試料Ｈ１を収容する収容部１３が設けられている。そのため、地盤試料Ｈ１を十分に採取することができる。しかして、本発明の第１実施形態によれば、地盤調査にあたって十分な採取量を確保することができる。
【００５２】
一方、本発明の第１実施形態によれば、上記蓋ストッパー６は、上記解除部材４によって採取ロッド１内を上下方向に移動可能であり、上記蓋体１１内周面にはその蓋ストッパー６を収納する収納部材１２が設けられている。この収納部材１２に蓋ストッパー６を収納するには、上記解除部材４によって蓋ストッパー６を下方向に移動させるだけでよく、この収納部材１２に蓋ストッパー６が収納されると、上記蓋体１１が上記窓開口部１０を閉塞する位置に維持される。そして、上記蓋ストッパー６を上記解除部材４によって上方向に移動させるだけで、上記蓋ストッパー６が上記収納部材１２による収納から解放されて上記蓋体１１の維持位置が解除される、すなわち、窓開口部１０が開放される。
【００５３】
しかして、本発明の第１実施形態によれば、上述の効果に加え、非常に簡易な操作で、窓開口部１０を閉塞したり開放したりできるという効果も得ることができる。
【００５４】
＜第２実施形態＞
次に、本発明に係る地盤試料採取装置の第２実施形態について、図６を参照して具体的に説明する。なお、第１実施形態と同一構成については、同一の符号を付し、説明は省略する。
【００５５】
図６に示すように、採取ロッド１の先端部には掘進スクリュー部材９１が連結され、基端部には規制部材７が連結されている。この規制部材７は、上記第１実施形態で示した規制部材３とほぼ同一の構成ではあるが、若干構成が異なる。すなわち、規制部材７の先端側内周面には、雌ねじ部７０が刻設され、その雌ねじ部７０を採取ロッド１の雄ねじ部１４に螺合させる。これにより、採取ロッド１と規制部材７が連結される。そして、規制部材７の基端部には、雄ねじ部７１が設けられ、その雄ねじ部７１に中実状のロッド９の先端部に刻設されている雌ねじ部９ｂが螺合され、これにより、規制部材７と上記ロッド９が連結される。
【００５６】
また、規制部材７の基端側端面部には、上下方向に透孔７２が穿設され、その透孔７２には、上記支持部材５の挿通孔５０に挿通されている解除部材４（図示ではワイヤ）が挿通される。そして、その透孔７２に挿通された解除部材４（図示ではワイヤ）を上記透孔７２から採取ロッド１の外部に露出させ、上記ロッド９の外周面部に沿うように配設させている。
【００５７】
ところで、この解除部材４（図示ではワイヤ）を上記ロッド９の外周面部に沿うように配設させるにあたって、ロッド９の外周面部には、軸方向所要間隔置きに配設部材８が設けられている。この配設部材８は、ステンレス等の円形状の厚板で形成されており、上記ロッド９が挿入可能な第１の貫通孔８０が上下方向に穿設されている。そしてさらに、上記解除部材４（図示ではワイヤ）が挿通可能な第２の貫通孔８１も穿設されている。このように、ロッド９の外周面部の軸方向所要間隔置きに配設部材８を設けることで、解除部材４を上記ロッド９の外周面部に沿うように確実に配設させることができる。なお、上記解除部材４（図示ではワイヤ）は、上下方向に移動できるように上記第２の貫通孔８１に挿通されている。また、図６には示していないが、上当接片４０は、上記第２の貫通孔８１及び透孔７２よりも径小に形成されていることは言うまでもない。
【００５８】
しかして、本実施形態のように解除部材４を配設させれば、第１実施形態で説明した中空ロッド２の代りに、ロッド９を用いても、地表から解除部材４を上下方向に移動させることが可能である。それゆえ、本実施形態で説明した地盤試料採取装置を上記第１実施形態にて説明（図５参照）したように使用すれば、所望深度の地盤試料Ｈ１を確実に採取することができる。
【００５９】
以上説明した本発明の第２実施形態によれば、上記第１実施形態同様、上記蓋体１１の維持位置を解除する方向（本実施形態でも上方向）に解除部材４によって上記蓋ストッパー６を移動させることができる。そのため、本発明の第２実施形態においても、上記第１実施形態と同様の効果を発揮させることができる。なお、本発明の第２実施形態においては、配設部材８として、ステンレス等の円形状の厚板を例示したが、それに限らず、解除部材４を上記ロッド９の外周面部に沿うように配設させられるものであれば、例えば、セロハンテープ等を用いても良い。
【００６０】
一方、本発明の第１又は第２実施形態においては、スウェーデン式サウンディング試験機として、錘９４による荷重負荷とハンドル９３による回転操作とを行う手動方式を例示したが、荷重負荷を油圧シリンダー等による機械的加圧で行うか、あるいは、回転操作をモータ等で機械的に行う方式も採用可能である。また、解除部材４としては、ワイヤを例示したが、ワイヤに限らず、ベルトやバネ等、種々様々ものを採用可能である。
【００６１】
さらに、中空ロッド２又はロッド９としては、ＪＩＳ規格に制定されたスウェーデン式サウンディング試験の規定寸法に合致するものに限らず、種々の内外径を有するものを採用できる。また、ロッド先端に装着する掘進スクリュー部材９１についても、異なる形状・構造のものも使用可能である。
【符号の説明】
【００６２】
１          採取ロッド
１０        窓開口部
１１        蓋体
１２        収納部材
１３        収容部
１６        自転防止部材
２          （中空状の）ロッド
２ａ        目盛り
３，７      規制部材
４          解除部材
５          支持部材
６          蓋ストッパー
８          配設部材
９          （中実状の）ロッド
９１        掘進スクリュー部材
９２        クランプ
９３        ハンドル
９４        錘
Ｇ          地盤
Ｈ          調査孔
Ｈ１        地盤試料
【図１】
2011226157.tif 000003
【図２】
2011226157.tif 000004
【図３】
2011226157.tif 000005
【図４】
2011226157.tif 000006
【図５】
2011226157.tif 000007
【図６】
2011226157.tif 000008
【図７】
2011226157.tif 000009